(57)【要約】      （修正有）【課題】ヘパフィルターとファンを着脱自在とし、これらをカバーの内外に選択的に容易に取り付けることが出来ると共に、本体を骨組のみからなるものとして軽量化し、さらに、フードも取り付け、取り外しが自在なものとした患者用簡易離隔フードを提供する。【解決手段】本体の背面に支持板３を設け、当該支持板３に穴を穿ち、また、前記本体の両側面前部下部にコの字型の支持フレーム５の両端下部を軸支して当該支持フレーム５を回転自在に複数設け、前記アーチ型の本体の背面、上面及び側面を被い、かつ当該本体１の前面から患者の上半身まで伸びた前垂れ部７ａを有する透明なフードカバー７を設け、各支持フレーム５に前垂れ部を間隔をあけて固定し、前記支持板３の穴に合わせて前記フードカバー７に穴を開け、これらの穴を塞ぐように、支持板３及びフードカバー７を挟んで、ヘパフィルター９及びファン装置１０を支持板３に着脱自在に取り付けた。【選択図】図１
0003159341.tif 000002
【実用新案登録請求の範囲】
【請求項１】
寝ている患者の頭部から上半身を被う簡易隔離フードにおいて、患者の頭部後方に立設され、当該患者の略頭部周囲を囲う薄いアーチ型のフレームから成る本体を設け、当該本体の側面に支持板を設け、当該支持板に穴を穿ち、また、本体の両側面前面下部にコの字型の支持フレームの両端下部を軸支して当該支持フレームを回転自在に設け、前記アーチ型の本体の背面、上面及び側面を被い、かつ当該本体の前面から患者の上半身まで伸びた前垂れ部を有する透明なフードカバーを設け、前記支持フレームを前垂れ部に固定し、前記支持板の穴に合わせて前記フードカバーに穴を開け、これらの穴を塞ぐように、支持板及びフードカバーを挟んで、ヘパフィルター及びファン装置を支持板に着脱自在に設けたことを特徴とする、患者用簡易隔離フード。
【請求項２】
前記アーチ型の本体は、四辺形の底部枠の後端両側及び前端両側からアーチ状の主フレームをそれぞれ立設し、これらのフレームの間に補助フレームを渡し、前記支持板はその上端を後端の主フレーム上部に固定し、その下端を前記底部枠の後端中央部に固定し、前記底部枠の両側の前部で前記支持フレームを軸支した構成としたことを特徴とする、請求項１に記載の患者用簡易隔離フード。
【請求項３】
前記フードカバーは各フレーム及び各支持フレームに間隔を開けて着脱自在に取り付けられ、各フレーム及び各支持フレーム箇所のフードカバーの外面に間隔を開けて取り付けた舌片を複数設け、各舌片に係止具及び被係止具を設け、各舌片を前記主フレーム又は支持フレームに巻き付けて係止具と被係止具を係止して取り付けられていることを特徴とする、請求項１又は２に記載の患者用簡易隔離フード。
【請求項４】
前記ヘパフィルター及びファン装置は、一方の突出部を前記支持板の穴とフードカバーの穴に通し、これらの穴の反対側で他方の凹部に嵌合して前記支持板にヘパフィルター及びファン装置を着脱自在に取り付けたことを特徴とする、請求項１、２又は３のいずれかに記載の患者用簡易隔離フード。
【請求項５】
前記本体の後端両側に、ベッドの背もたれに巻きまわして固定するベルトを設けたことを特徴とする、請求項１、２、３又は４のいずれかに記載の患者用簡易隔離フード。
【考案の詳細な説明】
【技術分野】
【０００１】
この考案は、病院の複数人用病室や家庭の部屋で寝ている患者の頭部から上半身を被い、当該患者を周囲から隔離する、簡易隔離フードに関するものである。
【背景技術】
【０００２】
従来、感染症患者の看護者や周囲の人を保護するため、感染症患者の頭部から上半身を被う感染患者用簡易隔離フードが開発されている。これは、特許文献１に示すように、スーツケースを立てたような本体を患者の枕元に立て、その本体の開口部からフードを伸ばし、患者の頭部から上半身までをこのフードで被い、このフードを前記本体の下部に軸支したフレームで支えており、前記本体の側面に設けたファンにより内部の空気を吸引し、ヘパフィルターで内部の菌を捕らえ、外部に清浄な空気を排出している。
【０００３】
【特許文献１】登録意匠第１３５４４６６号公報
【考案の開示】
【考案が解決しようとする課題】
【０００４】
しかしながら、前記感染患者用簡易隔離フードは、感染患者から看護人や周囲の人を護るものであり、患者自身を護るものではない。中には、外部の汚染空気から隔離し、清浄な空気のみを吸いたい患者もいる。例えば、花粉症の患者は、花粉を含む外気から隔離されることを望む。従来のものは、このように患者自身を護るようにはできていなかった。また、本体が、スーツケースを立てたような構造であり、重量があり、持ち運びに不便であった。さらに、フードも数個のフレームに固定されており、フードが汚れた場合にフードのみを取り替えるのが不便であった。
【０００５】
そこで、この考案は、このような従来技術を考慮したものであって、ヘパフィルターとファンを着脱自在とし、これらをカバーの内外に選択的に容易に取り付けることが出来ると共に、本体を骨組のみからなるものとして軽量化し、さらに、フードも取り付け、取り外しが自在なものとした、患者用簡易離隔フードを提供することを目的としたものである。
【課題を解決するための手段】
【０００６】
請求項１の考案は、寝ている患者の頭部から上半身を被う簡易隔離フードにおいて、患者の頭部後方に立設され、当該患者の略頭部周囲を囲う薄いアーチ型のフレームから成る本体を設け、当該本体の側面に支持板を設け、当該支持板に穴を穿ち、また、本体の両側面前部下部にコの字型の支持フレームの両端下部を軸支して当該支持フレームを回転自在に設け、前記アーチ型の本体の背面、上面及び側面を被い、かつ当該本体の前面から患者の上半身まで伸びた前垂れ部を有する透明なフードカバーを設け、前記支持フレームを前垂れ部に固定し、前記支持板の穴に合わせて前記フードカバーに穴を開け、これらの穴を塞ぐように、支持板及びフードカバーを挟んで、ヘパフィルター及びファン装置を支持板に着脱自在に設けた、患者用簡易隔離フードとした。
【０００７】
また、請求項２の考案は、請求項１の考案において、前記アーチ型の本体は、四辺形の底部枠の後端両側及び前端両側からアーチ状の主フレームをそれぞれ立設し、これらのフレームの間に補助フレームを渡し、前記支持板はその上端を後端の主フレーム上部に固定し、その下端を前記底部枠の後端中央部に固定し、前記底部枠の両側の前部で前記支持フレームを軸支した構成とした、患者用簡易隔離フードとした。
【０００８】
また、請求項３の考案は、請求項１又は２の考案において、前記フードカバーは各フレーム及び各支持フレームに間隔を開けて着脱自在に取り付けられ、各フレーム及び各支持フレーム箇所のフードカバーの外面に間隔を開けて取り付けた舌片を複数設け、各舌片に係止具及び被係止具を設け、各舌片を前記主フレーム又は支持フレームに巻き付けて係止具と被係止具を係止して取り付けられている、患者用簡易隔離フードとした。
【０００９】
また、請求項４の考案は、請求項１、２又は３のいずれかの考案において、前記ヘパフィルター及びファン装置は、一方の突出部を前記支持板の穴とフードカバーの穴に通し、これらの穴の反対側で他方の凹部に嵌合して前記支持板にヘパフィルター及びファン装置を着脱自在に取り付けた、患者用簡易隔離フードとした。
【００１０】
また、請求項５の考案は、請求項１、２、３又は４のいずれかの考案において、前記本体の後端両側に、ベッドの背もたれに巻きまわして固定するベルトを設けた、患者用簡易隔離フードとした。
【考案の効果】
【００１１】
請求項１の考案によれば、ヘパフィルターとファン装置とを、フードカバーの内側にも、外側にも容易に取り付け、又はこれらを取り替えたりすることが出来るため、患者が感染症を有するものであれば、ヘパフィルターをフードカバーの内側にしてファン装置を外側にして本体の支持板に取り付けることが出来る。また、患者に周囲の空気を浄化してクリーンな空気を供給する場合は、ヘパフィルターをフードカバーの外側にしてファン装置を内側にし、これらを本体の支持板に取り付けることが出来る。このようにこの考案では、患者の状態に合わせてフードの中をクリーンな空気にするか、又はフードの外に、内部の汚損空気等を漏らさないようにすることが出来る。
【００１２】
また、請求項２の考案によれば、前記請求項１の効果に加え、本体が、すべてフレームから構成されており、そこに僅かに支持板を設け、当該支持板に前記ヘパフィルター及びファン装置を支持させているため、重量が軽く、このフードを患者に用いる際、家庭や病院で持ち運び、取り付けが極めて容易となる。
【００１３】
また、請求項３の考案によれば、前記請求項１及び２の効果に加え、フードカバーは、各舌片の係止具及び被係止具の係止を外せば、本体及び支持フレームから容易に取り外せるため、不要時には本体や支持フレームから外して畳んでおくことが出来、当該フードを患者に実際に被せる際に、本体や支持フレームに取り付ければよく、保管及び運搬の際も嵩張らない。しかも、使用によってフードカバーが汚れた場合、容易にきれいなものに取り替えることが出来る。
【００１４】
また、請求項４の考案によれば、ヘパフィルターとファン装置とを、一方の突出部を支持板及びフードカバーの穴に通して他方の凹部に嵌め込み、両者を接続すれば同時にこれらを支持板に取り付けることが出来るもので、取り付けがきわめて容易である。
【００１５】
また、請求項５の考案によれば、前記請求項１〜４の効果に加え、当該フードをベッドで使用する場合、ベッドの背もたれにベルトを回して止めることが出来、当該フードを安定良く設置できる。
【考案を実施するための最良の形態】
【００１６】
この考案は、寝ている患者の頭部から上半身を被う簡易隔離フードにおいて、患者の頭部後方に立設され、当該患者の略頭部周囲を囲う薄いアーチ型の主フレームから成る本体を設け、当該本体の背面に支持板を設け、当該支持板に穴を穿ち、また、本体の両側面前部下部にコの字型の支持フレームの両端下部を軸支して、当該支持フレームを回転自在に複数設け、前記アーチ型の本体背面、上面及び側面を被い、かつ当該本体の前面から患者の上半身まで伸びた前垂れ部を有する透明なフードカバーを設け、前記各支持フレームを前垂れ部に間隔をあけて固定し、前記支持板の穴に合わせて前記フードカバーに穴を開け、これらの穴を塞ぐようにヘパフィルター及びファン装置を設け、これらのヘパフィルター及びファン装置は、一方の突出部を前記二つの穴に通し、これらの穴の反対側で他方の凹部に嵌合して前記支持板にヘパフィルター及びファン装置を着脱自在に取り付けた、患者用簡易隔離フードとした。
【実施例１】
【００１７】
以下、この考案の実施例１を図に基づいて説明する。図１はこの考案の患者用簡易隔離フードの斜視図、図２は同平面図、図３は図２のＡ−Ａ線断面図、図４は患者用隔離フードの右側面図、図５は同左側面図である。
【００１８】
患者用隔離フード１のアーチ型のフレームから成る本体２は、四辺形の主フレーム２ａを立て、この主フレーム２ａと略同形で、下部がフレーム２ａから離れるように前方に傾斜した主フレーム２ｂとを相対向して設け、これらの主フレーム２ａと主フレーム２ｂの下端の両端部間に、アングル状の補助フレーム２ｃ，２ｃを夫々渡して固定し、また、フレーム２ａとフレーム２ｂの下端及び上端の略中央部間に下面枠板２ｄ及び上面枠体２ｅを夫々渡して固定し、さらに、これらのフレーム２ａとフレーム２ｂの両側部間に補助フレーム２ｆを夫々渡して固定している。
【００１９】
また、また、本体１の背面となる、前記主フレーム２ａ中央部の上下辺間に支持板３を固定して設け、当該支持板３の上部には、図６に示すように、孔４を穿っている。また、本体２の前部の両側下部に位置する、前記アングル状の補助フレーム２ｃ、２ｃの前部に、下向きのコ字型から成る支持フレーム５の両側下端５ａを軸支し、当該軸支部を前後に並べて二つの支持フレーム５、５を設けている。これらの支持フレーム５は各両側下端５ａの軸支部を中心に回転自在となっており、その自由端を主フレーム２ｂの上部に近づけると、図６に示すように、主フレーム２ａ、２ｂよりやや高くなっている。
【００２０】
また、前記本体２のフレーム２ａの両側辺間にベルト６を渡しており、このベルト６は、当該患者用簡易隔離フードをベッドに取り付ける際、ベッドの背もたれに巻き回し、固定するのに用いるものである。
【００２１】
また、前記本体２の背面、上面及び側面を被い、かつ当該本体２の前面から患者の上半身まで伸びた前垂れ部を有する透明なフードカバー７を設け、このフードカバー７は、本体２の主フレーム２ａ及び２ｂの上面、側面で夫々着脱自在に固定され、また、前垂れ部７ａは間隔をあけて前記支持フレーム５，５の上面、側面に夫々着脱自在に固定されている。また、このフードカバー７は、前記支持板３の穴４に合わせて穴（図示省略）が開いている。
【００２２】
このフードカバー７の主フレーム２ａ、２ｂへの着脱自在な固定は、図８及び図９に示すように、フードカバー７の外面に、各主フレーム２ａ、２ｂに沿って間隔をあけて舌片８を多数設け、これらの各舌片８は、中央部をフードカバー７に溶着し、両端にホックや面ファスナー等の係止具及び被係止具８ａを設け、この舌片８の両端部を主フレーム２ａ又は２ｂに巻き付けて主フレーム２ａ又は２ｂの外側で前記係止具及び被係止具８ａを係止し、これにより、フードカバー７を主フレーム２ａ又は２ｂに着脱自在に固定している。フードカバー７の前垂れ部７ａの支持フレーム５への着脱自在な固定もこれと同様である。
【００２３】
そして、前記支持板３の穴４に合わせて前記フードカバーの穴を合わせ、これらの穴を塞ぐようにヘパフィルター９及びファン装置１０を着脱自在に取り付けたものである。具体的には、図７に示すように、当該ファン装置１０の一面の突出部１０ａを前記二つの穴に通し、これらの穴の反対側でヘパフィルター９の凹部に嵌合させて前記支持板３にヘパフィルター９及びファン装置１０を着脱自在に取り付けている。従って、ヘパフィルター９をフードカバー７の内側に、ファン装置１０を外側に取り付けることもでき、また、反対に、ヘパフィルター９をフードカバー７の外側に、ファン装置１０を内側に取り付けることも出来る。また、このファン装置１０には、図５に示すように、電源プラグを一端に有する電源コード１１を接続する構成となっている。
【００２４】
なお、前記実施例では、本体１は、主フレーム２ａと２ｂとを相対向させてこれらの間に補助フレーム２ｃ、下面枠板２ｄ、上面枠板２ｅ等を設けているが、この構成に限らず、底部枠の後端両側及び前端両側からアーチ状の主フレームを立設し、これらのフレームの間に補助フレームを設けた構成としても良い。また前記実施例では前記支持板３は本体2の背面に設けたが、本体２の側面であれば、どこに設けても良い。さらに、前記実施例では支持フレーム５を２個設けているが、この支持フレーム５の数は１個でも、複数個でもよい。
【図面の簡単な説明】
【００２５】
【図１】この考案の実施例１の患者用簡易隔離フードの斜視図である。
【図２】この考案の実施例１の患者用簡易隔離フードの平面図である。
【図３】前記図２のＡ−Ａ線断面図である。
【図４】この考案の実施例１の患者用簡易隔離フードの右側面図である。
【図５】この考案の実施例１の患者用簡易隔離フードの左側面図である。
【図６】この考案の実施例１の患者用簡易隔離フードのヘパフィルター及びファン装置を外し、本体に支持フレームを畳んだ状態の左側面図である。
【図７】この考案の実施例１の患者用簡易隔離フードのヘパフィルターとファン装置の取り付け状態を示す平面図である。
【図８】この考案の実施例１の患者用簡易隔離フードの、フードカバーの主フレームへの取り付け状態を示す一部斜視図である。
【図９】この発明の実施例１の患者用簡易隔離フードの、フードカバーの主フレームへの取り付け状態を示す要部斜視図である。
【符号の説明】
【００２６】
１      患者用簡易隔離フード        ２      本体
２ａ    主フレーム                  ２ｂ    主フレーム
２ｃ    補助フレーム                ２ｄ    下面枠板
２ｅ    上面枠板                    ２ｆ    側面補助フレーム
３      支持板                      ４      穴
５      支持フレーム                ５ａ    下端部
６      固定ベルト                  ７      フードカバー
７ａ    前垂れ部                    ８      舌片
８ａ    係止具及び被係止具          ９      ヘパフィルター
１０    ファン装置                  １０ａ  突出部
１１    電気コード  
【図１】
0003159341.tif 000003
【図２】
0003159341.tif 000004
【図３】
0003159341.tif 000005
【図４】
0003159341.tif 000006
【図５】
0003159341.tif 000007
【図６】
0003159341.tif 000008
【図７】
0003159341.tif 000009
【図８】
0003159341.tif 000010
【図９】
0003159341.tif 000011
【手続補正書】
【提出日】平成22年3月16日(2010.3.16)
【手続補正１】
【補正対象書類名】明細書
【補正対象項目名】０００８
【補正方法】変更
【補正の内容】
【０００８】
また、請求項３の考案は、請求項１又は２の考案において、前記フードカバーは各フレーム及び各支持フレームに間隔を開けて着脱自在に取り付けられ、各フレーム及び各支持フレーム箇所のフードカバーの外面に間隔を開けて取り付けた舌片を複数設け、各舌片に係止具及び被係止具を設け、各舌片を前記フレーム又は支持フレームに巻き付けて係止具と被係止具を係止して取り付けられている、患者用簡易隔離フードとした。
【手続補正２】
【補正対象書類名】実用新案登録請求の範囲
【補正対象項目名】請求項３
【補正方法】変更
【補正の内容】
【請求項３】
前記フードカバーは、各フレーム及び各支持フレームに間隔を開けて着脱自在に取り付けられ、各フレーム及び各支持フレーム箇所のフードカバーの外面に間隔を開けて取り付けた舌片を複数設け、各舌片に係止具及び被係止具を設け、各舌片を前記フレーム又は支持フレームに巻き付けて係止具と被係止具を係止して取り付けられていることを特徴とする、請求項１又は２に記載の患者用簡易隔離フード。